(57)【特許請求の範囲】
【請求項１】
所定の色温度の光であるベース光を出射する光源を有し、当該ベース光で１の空間を照明するベース照明装置と、
出射光の色温度が可変である演出照明器具を有し、前記出射光で前記空間の一部分である照射領域を照射する演出照明装置と、
前記演出照明器具を、所定時間が経過する度に前記出射光の色温度を所定の色温度範囲内で変化させる制御を実行する制御装置とを備え、
前記所定時間は、前記空間の外を通行する人であって前記照射領域の少なくとも一部を視認可能な人の視野角内に前記照射領域の少なくとも一部がある時間の長さに基づいて定められ、
前記所定の色温度範囲は、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）規格のｃ７８．３７７における黒体軌跡に沿う８個の色度領域のうち、前記ベース光の所定の色温度と同一又は隣接する色度領域の範囲内にある、
照明システム。
【請求項２】
前記所定の色温度範囲は前記ベース光の色温度を中心とする１０００Ｋの範囲である、
請求項１に記載の照明システム。
【請求項３】
前記演出照明装置は３個以上の前記演出照明器具を備え、
前記３個以上の演出照明器具は、それぞれの前記照射領域が前記空間内で所定方向に沿う照射領域列をなすよう配置され、
前記制御装置は前記制御において、
前記照射領域列の一部分に、他の部分と異なる色温度の光で照射される照射パターンが適用され、
前記所定の時間が経過する度に、前記照射パターンが適用される前記照射領域列の一部分が前記所定の方向に沿って移動するよう前記３個以上の演出照明器具を制御する、
請求項１又は２に記載の照明システム。
【請求項４】
前記所定方向は、前記人から遠ざかる方向である、
請求項３に記載の照明システム。
【請求項５】
前記３個以上の演出照明器具のうち、前記照射領域列において隣り合う照射領域を照射する演出照明器具の出射光の色温度差は５００Ｋ以内である、
請求項３又は４に記載の照明システム。
【請求項６】
前記所定の時間は１秒以上１０秒以下である、
請求項１から５のいずれか１項に記載の照明システム。
【請求項７】
前記所定時間は１．５秒以上３秒以下である、
請求項１から５のいずれか１項に記載の照明システム。
【請求項８】
前記空間は入口を有する場所にある、人が通行するための通行路であり、
前記所定方向は、前記通行路において前記入口から前記場所の奥へ向かう方向である、
請求項３から７のいずれか１項に記載の照明システム。
【請求項９】
前記ベース光の所定の色温度は、日本工業規格における光源色の白色の色温度の範囲に相当する、
請求項１から８のいずれか１項に記載の照明システム。
【請求項１０】
前記制御装置は、
前記３個以上の演出照明器具のそれぞれが同一時間に出射する光の色温度を指定する出射光マップであって、前記３個以上の演出照明器具の少なくとも一部に対して指定する色温度の点で相互に異なる複数個の出射光マップを取得し、
前記所定時間において、前記複数の出射光マップのいずれかに従って、前記３個以上の演出照明器具のそれぞれに指定された色温度の光を出射させ、
前記所定時間が経過する度に従う出射光マップを前記複数の出射光マップの間で切り替え、前記出射光の色温度が経時的に変化するよう前記３個以上の演出照明器具を制御する、
請求項３から９のいずれか１項に記載の照明システム。
【請求項１１】
前記演出照明器具は、色温度を示す値を前記制御装置から複数個受信し、
前記出射する光の色温度を、前記複数個の値のうち一の値が示す色温度から、前記複数個の値のうち他の値が示す色温度へと徐々に変化させる、
請求項１から１０のいずれか１項に記載の照明システム。
【請求項１２】
所定の色温度の光であるベース光を出射する光源を用いて、当該ベース光で１の空間を照明し、
出射光の色温度が可変である演出照明器具からの出射光で前記空間の一部分である照射領域を照射し、
前記演出照明器具を、所定時間が経過する度に前記出射光の色温度が所定の色温度範囲内で変化させるよう制御し、
前記所定時間は、前記空間の外を通行する人であって前記照射領域の少なくとも一部を視認可能な人の視野角内に前記照射領域の少なくとも一部がある時間の長さに基づいて定められ、
前記所定の色温度範囲は、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）規格のｃ７８．３７７における黒体軌跡に沿う８個の色度領域のうち、前記ベース光の所定の色温度と同一又は隣接する色度領域の範囲内にある、
照明方法。
【発明の詳細な説明】
【技術分野】
【０００１】
本発明は、演出照明装置を備える照明システム及び演出照明を含む照明方法に関する。
【背景技術】
【０００２】
従来、商業用途等の各種施設では、各空間に設置される照明は単なる明るさの確保のみならず、施設の利用者の心理に働き掛けるような「演出的効果」を得ることもその目的として利用されてきた。
【０００３】
演出的効果を目的とする照明の利用例としては、照明器具の出射光の色温度や明るさを、昼光利用を模して１日の中で変化させるケースがある。これは人体の２４時間周期の生体リズムと自然光の関係を応用したもので、快適性の向上を図ることができる。このような効果を施設で実現することで、当該施設への来訪者の滞留時間の延長や訪問回数の増加を図ることができる。また、明るさを抑える時間帯があることから、節電の効果も得られる。このような照明制御は、環境を意味する「エコ（ｅｃｏ）」と２４時間周期を意味する「サーカディアン（ｃｉｒｃａｄｉａｎ）」を合わせて「エコサーカディアン」制御とも呼ばれる。
【０００４】
別の例としては、「サバンナ効果」と呼ばれる効果を狙う利用手法がある。この「サバンナ効果」とは、森のような暗い場所で視線の先に明るく開けた場所が見えると、人は安心したり、その明るい場所へ行ってみたいという好奇心が生じたりするという心理効果である。この手法を店舗に応用する場合、店舗奥の壁面を手前の売り場の２倍から３倍明るくすることで、店舗入口付近の人を店舗の奥へ誘導する効果が期待される。
【０００５】
上記以外にも、例えば店頭のディスプレイに設置された複数のピックアップ照明の強弱を時間の経過と共に入れ替えることで人目を惹く効果（以下、アイキャッチ効果ともいう）を得るため技術が提案されている（特許文献１参照）。
【０００６】
また、アイキャッチ効果について言えば、遊戯施設の屋内外の看板や店舗外観等の装飾に見られるような、色、明るさ、及び模様の変化に富む装飾用照明も、見る人の注意を惹く演出を目的とする照明の従来からの利用例といえる。
【先行技術文献】
【特許文献】
【０００７】
【特許文献１】特開２００７−１２４７３号公報
【発明の概要】
【発明が解決しようとする課題】
【０００８】
しかしながら従来の技術では、照明の出射光でアイキャッチ効果を高めることができる一方で、その出射光で照射される領域及びその周辺の空間に与える雰囲気が限られているという問題がある。
【０００９】
本発明は、照明の出射光によってアイキャッチ効果を高めながら、その出射光で照射される領域及びその周辺の空間に特定の雰囲気を与えることができる照明システムおよび照明方法を提供する。
【課題を解決するための手段】
【００１０】
本発明の一態様に係る照明システムは、所定の色温度の光であるベース光を出射する光源を備え、当該ベース光で１の空間を照明するベース照明装置と、出射光の色温度が可変である演出照明器具を備え、前記出射光で前記空間の一部分である照射領域を照射する演出照明装置と、前記演出照明器具を、所定時間が経過する度に前記出射光の色温度を所定の色温度範囲内で変化させる制御を実行する制御装置とを備え、前記所定時間は、前記空間の外を通行する人であって前記照射領域の少なくとも一部を視認可能な人の視野角内に前記照射領域の少なくとも一部がある時間の長さに基づいて定められ、前記所定の色温度範囲は、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）規格のｃ７８．３７７における黒体軌跡に沿う８個の色度領域のうち、前記ベース光の所定の色温度と同一又は隣接する色度領域の範囲内にある。
【００１１】
また、本発明の一態様に係る照明方法は、所定の色温度の光であるベース光を出射する光源を用いて、当該ベース光で１の空間を照明し、出射光の色温度が可変である演出照明器具からの出射光で前記空間の一部分である照射領域を照射し、前記演出照明器具を、所定時間が経過する度に前記出射光の色温度が所定の色温度範囲内で変化させるよう制御し、前記所定時間は、前記空間の外を通行する人であって前記照射領域の少なくとも一部を視認可能な人の視野角内に前記照射領域の少なくとも一部がある時間の長さに基づいて定められ、前記所定の色温度範囲は、ＡＮＳＩ規格のｃ７８．３７７における黒体軌跡に沿う８個の色度領域のうち、前記ベース光の所定の色温度と同一又は隣接する色度領域の範囲内にある。
【００１２】
なお、これらの包括的または具体的な態様は方法として、又は、集積回路、コンピュータプログラム若しくはコンピュータ読み取り可能なＣＤ−ＲＯＭなどの記録媒体として実現されてもよい。また、システム、方法、集積回路、コンピュータプログラム及び記録媒体の任意な組み合わせで実現されてもよい。
【発明の効果】
【００１３】
本発明の照明システムおよび照明方法は、照明の出射光によってアイキャッチ効果を高めながら、その出射光で照射される領域及びその周辺の空間に特定の雰囲気を与えることができる。
【図面の簡単な説明】
【００１４】
【図１】図１は、本発明の一態様を得るに至った経緯における実験の環境を示す平面図である。
【図２】図２は、本発明の一態様を得るに至った経緯における実験での照明の制御を示す図である。
【図３Ａ】図３Ａは、本発明の一態様を得るに至った経緯における実験結果の概略を示す図である。
【図３Ｂ】図３Ｂは、本発明の一態様を得るに至った経緯における実験結果の概略を示す図である。
【図４】図４は、実施の形態１における照明システムの構成の例を示す図である。
【図５】図５は、実施の形態１における照明システムのハードウェア構成の例を示す図である。
【図６Ａ】図６Ａは、実施の形態１における制御装置の機能構成の例を示す図である。
【図６Ｂ】図６Ｂは、実施の形態１におけるゲートウェイの機能構成の例を示す図である。
【図６Ｃ】図６Ｃは、実施の形態１におけるベース照明装置の機能構成の例を示す図である。
【図６Ｄ】図６Ｄは、実施の形態１における演出照明器具の機能構成の例を示す図である。
【図７Ａ】図７Ａは、実施の形態１において制御装置からゲートウェイに送信される設定情報のデータ構造の例を示す図である。
【図７Ｂ】図７Ｂは、実施の形態１において制御装置からゲートウェイに送信される、設定情報の補助データのデータ構造の例を示す図である。
【図８】図８は、実施の形態１においてベース照明の出射光及び演出照明の出射光の色温度に関する設定を説明するための図である。
【図９】図９は、実施の形態２における照明システムの適用例を示す図である。
【発明を実施するための形態】
【００１５】
［本発明の基礎となった知見］
本発明者は、「背景技術」の欄において記載した各種の照明の利用例に関し、以下の問題が生じることを見出した。
【００１６】
上述のとおり、エコサーカディアン制御による照明手法では、空間の快適性を向上させることで、来訪者の滞留時間の延長を図ることができる。また、サバンナ効果を得る目的とする照明手法では、空間内で入り口付近に居るか、当該空間に入りかけている来訪者に安心感や好奇心を起こさせてこの空間のより奥へと誘導することができる。
【００１７】
しかしこのような照明手法では、この空間の前を通過する通行者の目を惹くことは難しい。例えばこの空間の内部がその通行者の視界内にあるとしても、通行者の目には、その空間の内部の様子は周辺の景色の一部として映る。
【００１８】
この通行者の注意を惹く一手段として、アイキャッチ効果を得るために通行者の視界内で店舗の照明の色や明るさ等を変化させることは有効である。しかしその一方で、空間を演出する用途もあることからわかるように、照明は空間の雰囲気にも影響を与える。極端な例ではあるが、遊戯施設の外観の装飾に用いられるような、絶え間ない変化を伴う照明手法はアイキャッチ効果は高いものの、そのような照明態様によって創出できる雰囲気は限られている。したがって、この照明態様がもたらす雰囲気がどのようなコンセプトの店舗にも適合するとは言えない。
【００１９】
例えば、落ち着き、洗練、高級感などをコンセプトとする店舗の演出にこのような変化に富む照明手法を取り入れるのは容易ではない。あるいは、このような従来の照明手法では人工的な印象を与えやすく、現代的又は都会的な雰囲気の空間には比較的容易に取り入れられるが、懐古的なカントリー調や自然と調和した寛いだリゾート地風の空間に違和感なく取り入れるのが難しい。つまり照明によるアイキャッチ効果の向上と、特定の雰囲気の創出とは両立が難しいという問題があった。
【００２０】
［本発明の一態様を得るに至った経緯］
このような問題の解決の糸口を見出すために、本発明者ら次のような実験を行って照明態様が人に与える印象及び人の行動に与える影響について調べた。
【００２１】
図１は、本発明の一態様を得るに至った経緯における実験の環境を示す平面図である。
【００２２】
図１において、参照符号１０は被験者を示す。以下、２０は通行路、３０Ａ及び３０Ｂはこの通行路を挟んで対向する２つのサンプル店舗、４０Ａ及び４０Ｂの四角形は各サンプル店舗の壁面に設置されている演出照明装置を示し、四角形の中の各長円は演出照明装置を構成する照明器具を示す。つまり、各演出照明装置は４つの照明器具を備える。
【００２３】
各照明器具は色温度が可変であり、複数の色温度と所定の時間を設定値として与えることで、当該所定の時間が経過すると、与えられたうちの一の色温度から他の色温度へと出射光を徐々に変化（フェード）させることができる。
【００２４】
また、この実験では、横方向に並ぶ４つの照明器具の間で色が１つずつ隣へ移動するような制御をした。図２は本発明の一態様を得るに至った経緯における実験の照明に関する条件を示す。図２は演出照明装置に設定される第１シーンから第４シーンの４つのシーンを示している。これらの各シーンは、各演出照明装置が備える複数個の照明器具４１〜４４のそれぞれが同一時間に出射する光の色温度を指定することで定義されている。各シーンでの縦軸は照明器具４１〜４４が出射する光の色温度を示す。例えばもっとも高い色温度に着目すると、第１シーンでは図２でもっとも左に位置する照明器具４１がもっとも高い色温度の光を出射する。次の第２シーンでは照明器具４１の右隣である照明器具４２がもっとも高い色温度の光を出射し、以降シーンが遷移するごとに、もっとも高い色温度の光を出射する照明器具は右隣の照明器具に切り替わる。他の色温度についても同様である。なお、各照明器具は、シーン間の出射光の色温度を上述のとおり徐々に変化させる。また、上記では説明の便宜上左右を示したが、実験では各サンプル店舗で照明態様の変化の左右を入れ替えた。
【００２５】
また、各サンプル店舗は図示しないベース照明装置も備える。ベース照明装置は、各サンプル店舗の空間全体を一時に略均一な色温度の光で照明する。
【００２６】
参照符号５０の矢印は、被験者１０の各サンプル店舗の間口からの距離を示す。また、参照符号１５が示す三角形は、この位置にいる被験者１０から見える各サンプル店舗の範囲を示す。この三角形１５が示すように、各サンプル店舗から距離５０離れている被験者１０からは、壁に遮られて各サンプル店舗の全体は見えない。この位置に居る被験者１０から見えるのは、各サンプル店舗の演出照明を含む一部の領域のみである。
【００２７】
実験では、ある１つの照明態様を基準条件として設定し、左右のサンプル店舗の一方を基準条件で、他方を基準条件と異なる条件（提示条件）照明態様で照明し、どちらにより入りたいかを被験者１０に選択してもらった（相対評価）。提示条件は１７通り用意した。ここでの基準条件と提示条件との間、及び提示条件間の違いは、演出照明装置の出射光の色温度の変化幅と、各シーンの長さの違いである。被験者は男女合わせて３０名であり、各被験者に基準条件の照明態様で照明されたサンプル店舗と提示条件の照明態様で照明されたサンプル店舗とで選択してもらった。
【００２８】
具体的な基準条件は以下の２つである。
【００２９】
（１）ベース照明装置の出射光の色温度：４０００Ｋで固定。
【００３０】
（２）演出照明装置の出射光の色温度：４０００Ｋを中心とする上下１０００Ｋ（つまり高い方及び低い方、ともに５００Ｋ）の幅で変化。各シーンの長さは２秒。
【００３１】
また、提示条件については、例えば演出照明装置の出射光の色温度範囲を、４０００Ｋを中心とする上下２０００Ｋに変えたり、４０００Ｋから高い方又は低い方の一方のみの５００Ｋとした。また、照明態様を一切変化させない（１シーンのみ）という条件も提示条件に含まれている。
【００３２】
なお、２つのサンプル店舗は図示のとおり左右対称な作りであり、什器や家具も左右対称に配されている。つまり、サンプル店舗には演出照明装置の照明態様以外には差を設けなかった。その上で、左右いずれのサンプル店舗を基準条件の照明態様で照明するかは、条件を変える度に無作為に決定した。また、提示条件の提示順序も被験者間で無作為に変更した。
【００３３】
図３Ａ及び図３Ｂは、上記の実験結果の概略を示すグラフである。
【００３４】
図３Ａは、サンプル店舗の選択結果を、演出照明装置の出射光の色温度範囲の幅別に示す。
【００３５】
グラフの横軸は色温度範囲の４０００Ｋからの上下幅を示す。＋５００は高い方へ５００Ｋまで、±５００は高い方及び低い方ともに５００Ｋまで、つまり基準条件の色温度範囲を示す。各棒の網かけ部分は提示条件が適用された店舗を選択した被験者の割合、白い部分は基準条件が適用された店舗を選択した被験者の割合を示す。
【００３６】
このグラフからは、色温度範囲の上下幅が４０００Ｋを中心とする１０００Ｋよりも大きくなると、提示条件が適用された店舗が選択されにくい傾向があることを示している。サンプル店舗の選択理由に関する被験者の回答から、被験者は店舗全体の基調となる照明（ベース照明）との色差の大きさに違和感（目立ち過ぎ、派手、奇抜等の言葉でも表現される）を覚えた方を選ばなかったことがわかった。
【００３７】
一方で、高い方へのみ５００Ｋまでの範囲で色温度を変えたサンプル店舗は、基準条件が適用された店舗よりもより高い割合で選択された。これは演出照明の色温度の変化が好まれないことを示すわけではない。図３Ｂは、演出照明の色温度の変化の有無とサンプル店舗の選択の関係を示す。具体的には、演出照明装置の出射光を基準条件の色温度範囲の幅で変化させた場合と、演出照明装置の出射光の色温度をベース照明と同じ４０００Ｋで固定した場合とで比較した結果である。このグラフに示されるように、色温度が変化する店舗の方を選択した被験者は、色温度が固定の店舗を選択した被験者の倍以上であった。つまり、色温度の変化が好まれないのではなく、被験者に違和感を与えない範囲の変化であれば、色温度が固定の演出照明よりもより多くの被験者に好まれた。この結果及び被験者へのヒアリングから、適度な色温度の変化はアイキャッチ効果をもたらし、店舗内へ人を誘引する効果があるとわかった。なお、このヒアリングでは、選択したサンプル店舗での変化の印象について「高級感」や「親しみやすさ」といった回答を得た。
【００３８】
また、上記の結果を踏まえて、シーンの長さ、言い換えると変化の頻度については、通行路２０を通行する被験者に演出照明が視認可能な範囲にある間に少なくとも一度は変化が生じ、かつ、被験者に違和感を抱かせない程度が適切であるとの結論を本発明者らは得た。
【００３９】
このような経緯で得るに至った本発明の一態様に係る照明システムは、所定の色温度の光であるベース光を出射する光源を備え、当該ベース光で１の空間を照明するベース照明装置と、出射光の色温度が可変である演出照明器具を備え、前記出射光で前記空間の一部分である照射領域を照射する演出照明装置と、前記演出照明器具を、所定時間が経過する度に前記出射光の色温度を所定の色温度範囲内で変化させる制御を実行する制御装置とを備え、前記所定時間は、前記空間の外を通行する人であって前記照射領域の少なくとも一部を視認可能な人の視野角内に前記照射領域の少なくとも一部がある時間の長さに基づいて定められ、前記所定の色温度範囲は、ＡＮＳＩ規格のｃ７８．３７７における黒体軌跡に沿う８個の色度領域のうち、前記ベース光の所定の色温度と同一又は隣接する色度領域の範囲内にある、照明システムである。
【００４０】
これにより、例えば上記空間が店舗の空間であれば、照明の色の大きな変化や速い変化によって店舗の特定の雰囲気を損なうことは避けることができる。また同時に、移動中に当該店舗が目に入る人の視界内に当該店舗がある間に、演出照明による視認可能な変化を少なくとも１度は生じさせてアイキャッチ効果を高めることができる。
【００４１】
例えば、前記色温度範囲は前記ベース光の色温度を中心とする１０００Ｋの範囲でもよい。
【００４２】
これにより、ベース照明装置で照明される店舗の空間において、当該空間を見る者に、演出照明のみが目立ちすぎることによる違和感を与えない。
【００４３】
また例えば、前記演出照明装置は３個以上の前記演出照明器具を備え、前記３個以上の演出照明器具は、それぞれの前記照射領域が前記空間内で所定方向に沿う照射領域列をなすよう配置され、前記制御装置は前記制御において、前記照射領域列の一部分に、他の部分と異なる色温度の光で照射される照射パターンが適用され、前記所定の時間が経過する度に、前記照射パターンが適用される前記照射領域列の一部分が前記所定の方向に沿って移動するよう前記３個以上の演出照明器具を制御してもよい。
【００４４】
これにより、当該空間の外の通行者に対するアイキャッチ効果をさらに高めることができる。
【００４５】
またこの場合に、前記所定方向は、前記人から遠ざかる方向であってもよい。
【００４６】
これにより、当該空間の外の通行者の注意を店舗の奥に誘導することができ、店舗への誘導効果を高めることができる。
【００４７】
また例えば、前記３個以上の演出照明器具のうち、前記照射領域列において隣り合う照射領域を照射する演出照明器具の出射光の色温度差は５００Ｋ以内であってもよい。
【００４８】
これにより、複数の演出照明装置がある場合に、当該空間を見る者に、いずれかの演出照明装置が照射する照明領域のみが目立ちすぎることによる違和感を与えない。
【００４９】
また例えば、前記所定の時間は１秒以上１０秒以下であってもよい。または、前記所定時間は１．５秒以上３秒以下であってもよい。
【００５０】
これにより、例えば通行路上で店舗の手前から当該店舗の演出照明が視認可能な通行者に対し、照明態様の速すぎる変化で店舗の雰囲気に違和感を生じることは避けながら、当該通行者に対する十分なアイキャッチ効果を生じさせることができる。
【００５１】
また例えば、前記空間は入口を有する場所にある、人が通行するための通行路であり、前記所定方向は、前記通行路において前記入口から前記場所の奥へ向かう方向であってもよい。
【００５２】
これにより、空間が例えば両側に店舗が並ぶ集合店舗施設の通路などである場合に、通行者に対する当該施設への誘導及び当該施設内でのより奥への誘導といった心理的効果が生じる。これにより、施設利用客を増加させたり、施設での滞留時間及び回遊性を向上させたりできる。
【００５３】
また例えば、前記ベース光の所定の色温度は、日本工業規格における光源色の白色に相当する色温度であってもよい。
【００５４】
当該照明システムにこのような光源色のベース照明装置を適用すれば、当該空間にある物について正確な色の把握が求められる場合であっても、上述のようなアイキャッチ効果と特定の雰囲気の創出との両立が可能である。
【００５５】
また例えば、前記制御装置は、前記３個以上の演出照明器具のそれぞれが同一時間に出射する光の色温度を指定する出射光マップであって、前記３個以上の演出照明器具の少なくとも一部に対して指定する色温度の点で相互に異なる複数個の出射光マップを取得し、前記所定時間において、前記複数の出射光マップのいずれかに従って、前記３個以上の演出照明器具のそれぞれに指定された色温度の光を出射させ、前記所定時間が経過する度に従う出射光マップを前記複数の出射光マップの間で切り替え、前記出射光の色温度が経時的に変化するよう前記３個以上の演出照明器具を制御してもよい。
【００５６】
これにより、当該照明システムに、定義済みの当該空間全体の各照明態様（シーン）を所定時間にわたって持続させ、所定時間の経過後はシーンを差し替えさせるという制御が可能になる。
【００５７】
また例えば、前記演出照明器具は、色温度を示す値を前記制御装置から複数個受信し、前記出射する光の色温度を、前記複数個の値のうち一の値が示す色温度から、前記複数個の値のうち他の値が示す色温度へと徐々に変化させてもよい。
【００５８】
これによる演出装置による色の滑らかな変化は、空間の雰囲気を損ないにくく、また、当該空間を見る者に違和感を与えない。
【００５９】
なお、「色温度」の語は厳密には黒体の発光色を温度で示すものであるが、本願では相関色温度についても便宜的に色温度と記載している。
【００６０】
また、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００６１】
以下、本発明の実施の形態について、図面を参照しながら具体的に説明する。
【００６２】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００６３】
［実施の形態１］
（１．照明システムの構成）
図４は、実施の形態１における照明システム１００の所定の空間への適用例を示す模式図である。より具体的には、照明システム１００は通行路を通る通行者ＰＡから見える店舗に備えられている。つまりこの図が示す例において上記の所定の空間は店舗の空間であり、通行路とは、例えばショッピングモール等の集合店舗施設の通路や道路である。なお、同図において破線の矢印はこの通行者ＰＡの視線方向又は視野角内の空間の一部を示す。図５は、実施の形態１における照明システム１００のハードウェア構成の例を示す。以下、これらの２つの図を参照しながら照明システム１００全体の構成について説明する。
【００６４】
照明システム１００は、制御装置２００、ゲートウェイ５００、ベース照明装置３００、及び演出照明装置４００を備える。
【００６５】
ベース照明装置３００は、所定の色温度の光を出射する光源を有するベース照明器具を備え、上記の空間を照明する。図４では９個の横長の長円が各ベース照明器具を示す。図５では、これらのベース照明器具がベース照明器具３１０〜３９０として示されている。本実施の形態でのベース照明器具３１０〜３９０は、例えば店舗の天井に備え付けられるいわゆるベース器具であってもよいし、ダウンライト、ユニバーサルダウンライト、またはスポットライトや間接照明器具であってもよい。次に説明する演出照明器具とは用途が異なり、上記の空間全体を照らして必要な明るさを確保するための照明装置である。この用途に沿うものであれば、ベース照明装置３００が備えるベース照明器具の個数は９個より少なくても多くてもよい。なお、ベース照明装置３００又は各ベース照明器具から出射される光を、以下では便宜的にベース光とも言う。
【００６６】
演出照明装置４００は複数の照明器具を有し、上記の店舗の空間の一部を照射領域としてこれらの照明器具の出射光で照射する。図４では６個の縦長の長方形がこれらの照明器具を示す。図５では、これらの照明器具は演出照明器具４１０〜４６０として示されている。この照射領域には、例えば店舗の壁面、商品、什器、家具、及び装飾又は販促のための資材含まれる。演出照明装置４００が備えるこれらの照明器具は、後述する制御によって出射光の明るさや色温度が各々変更される。本実施の形態での演出照明器具４１０〜４６０は、例えば店舗の天井や壁面に備え付けられるダウンライト、ユニバーサルダウンライト、若しくはスポットライト、又は各種の間接照明のための照明器具でもよい。
【００６７】
上記のベース照明装置３００及び演出照明装置４００はゲートウェイ５００と通信可能に接続され、ゲートウェイ５００を介して制御装置２００と後述する設定などに関するデータを送受信する。図４及び図５では、ベース照明装置３００及び演出照明装置４００とゲートウェイ５００とを通信可能に接続する通信手段として通信ケーブル６００が示されている。ただし、この通信手段は有線通信に限られない。これらの装置の通信手段として、例えばＷｉ−Ｆｉ（登録商標）、Ｂｌｕｅｔｏｏｔｈ（登録商標）、ＺｉｇＢｅｅ（登録商標）、又は赤外線通信などの各種方式による無線通信が用いられてもよい。また、有線通信と無線通信とが混在してもよい。
【００６８】
制御装置２００は、照明システム１００のユーザにベース照明装置３００及び演出照明装置４００の設定をさせるための照明システム１００のユーザインターフェースの機能を果たす操作端末である。ここでのユーザとは、例えば照明システム１００の設置業者や上記の店舗のスタッフである。図４では照明システム１００のユーザとして店舗のスタッフであるユーザＳＴが示されている。また、ここでの設定とは照明システム１００の照明態様、具体的には各ベース照明器具又は各演出照明器具の明るさ又は色に関する指定、及び指定した明るさや色の持続時間等に関する指定を指す。本実施の形態の制御装置２００は、例えばタブレットやスマートフォン等の端末機器であり、ゲートウェイ５００と通信が可能である。例えば図４及び図５では、制御装置２００はゲートウェイ５００と無線による通信が可能な端末機器として示されている。なお、制御装置２００はこの例に限定されない。他の例として、制御装置２００はパーソナルコンピュータであり、イーサネット（登録商標）の規格に準拠する有線ＬＡＮ（Ｌｏｃａｌ  Ａｒｅａ  Ｎｅｔｗｏｒｋ）を介して制御装置２００は上述のゲートウェイ５００と通信してもよい。あるいは、制御装置２００は照明システム１００に専用の操作端末であってもよい。ユーザが制御装置２００上で行った設定はゲートウェイ５００を介してベース照明装置３００及び演出照明装置４００に送信される。また、必要に応じてゲートウェイ５００を介してベース照明装置３００及び演出照明装置４００から情報を受信してもよい。
【００６９】
次に、図６Ａ〜図６Ｄを参照して制御装置２００、ゲートウェイ５００、ベース照明装置３００、及び演出照明装置４００の機能構成について説明する。
【００７０】
図６Ａは、本実施の形態における制御装置２００の機能構成の例を示す図である。制御装置２００は制御部２１０、記憶部２２０、通信部２３０、出力部２４０、及び入力部２５０を備える。
【００７１】
制御部２１０は他の構成要素とバスによって通信可能に接続され、記憶部２２０に記憶されているプログラムに従ってデータを処理したり、制御装置２００内の他の構成要素を制御したり、又、記憶部２２０にデータを書き込んで記憶させたりする。本実施の形態のこのような制御部２１０は、例えばＣＰＵ（Ｃｅｎｔｒａｌ  Ｐｒｏｃｅｓｓｉｎｇ  Ｕｎｉｔ）やマイクロプロセッサを用いて実現される。
【００７２】
記憶部２２０は上述のプログラムを記憶したり、制御部２１０によるデータの処理の過程で、また、当該処理の結果として生じたデータを記憶したりする。本実施の形態のこのような記憶部２２０は、例えばフラッシュメモリ等の不揮発性メモリ及びＲＡＭ（Ｒａｎｄｏｍ  Ａｃｃｅｓｓ  Ｍｅｍｏｒｙ）等の揮発性メモリを用いて実現される。あるいは、これらのような半導体メモリと組み合わせて、又はこれらに代えてハードディスクドライブ等、他種の記憶装置が用いられてもよい。
【００７３】
通信部２３０は、本実施の形態における照明システム１００で採用される通信規格に応じた、ゲートウェイ５００との通信のための通信モジュールである。
【００７４】
出力部２４０は、制御装置２００が上述のとおり照明システム１００のユーザインターフェースの機能を果たすために備えるものであり、ユーザに対して画像で情報を提示する。例えば液晶ディスプレイや有機ＥＬ（Ｅｌｅｃｔｒｏ  Ｌｕｍｉｎｅｓｃｅｎｃｅ）ディスプレイを用いて実現される。また、画像に加えて音声によってユーザに情報が提示されてもよい。この場合はさらにスピーカーを用いて実現される。
【００７５】
入力部２５０も、出力部２４０と同様に制御装置２００が上述のとおり照明システム１００のユーザインターフェースの機能を果たすために備えるものであり、ユーザによる入力操作を受け付ける。本実施の形態の入力部２５０は例えばタッチスクリーンを用いて実現される。また、ボタン、キーボード、マウス等を用いて実現されてもよい。
【００７６】
また、制御装置２００はさらにカウンタ２９０を備えてもよい。カウンタ２９０については、図６Ｂから図６Ｄに記載のカウンタとあわせて後述する。
【００７７】
図６Ｂは、本実施の形態におけるゲートウェイ５００の機能構成の例を示す図である。ゲートウェイ５００は制御部５１０、記憶部５２０、及び通信部５３０を備える。
【００７８】
制御部５１０は他の構成要素とバスによって通信可能に接続され、記憶部５２０に記憶されているプログラムに従ってデータを処理したり、ゲートウェイ５００内の他の構成要素を制御したり、又、記憶部５２０にデータを書き込んで記憶させたりする。本実施の形態のこのような制御部５１０は、例えばＣＰＵやマイクロプロセッサを用いて実現される。
【００７９】
記憶部５２０は上述のプログラムを記憶したり、制御部５１０によるデータの処理の過程で、また、当該処理の結果として生じたデータを記憶したりする。本実施の形態のこのような記憶部５２０は、例えばフラッシュメモリ等の不揮発性メモリ及びＲＡＭ等の揮発性メモリを用いて実現される。あるいは、これらのような半導体メモリと組み合わせて、又はこれらに代えてハードディスクドライブ等、他種の記憶装置が用いられてもよい。
【００８０】
通信部５３０は、本実施の形態における照明システム１００で採用される通信規格に応じた、制御装置２００、ベース照明装置３００、及び演出照明装置４００との通信のための通信モジュールである。
【００８１】
また、制御装置２００がさらに備えるカウンタ５９０については、図６Ａ、図６Ｃ、及び図６Ｄに記載のカウンタとあわせて後述する。
【００８２】
図６Ｃは、本実施の形態におけるベース照明装置３００の機能構成の例を示す図である。ベース照明装置３００はベース照明器具３１０〜３９０、制御部３１００、記憶部３２００、及び通信部３３００を備える。
【００８３】
ベース照明器具３１０〜３９０はそれぞれ同等の機能を有する。ここではこれらの代表としてベース照明器具３１０について説明する。ベース照明器具３１０は光源３０１と点灯回路３０２とを備える。光源３０１は点灯回路３０２を介して電力の供給を受けて光を出射する。点灯回路３０２は後述の制御部３１００の制御下で光源３０１への電力の供給と遮断を切り替えることによって光源３０１の点灯と消灯とを切り替える。光源３０１は例えば発光ダイオードや有機ＥＬ等の半導体発光素子を用いて実現される。あるいは白熱電球を用いて実現されてもよい。各ベース照明器具の光源３０１は空間の明るさを確保するために複数個の半導体発光素子を備えてもよい。また、各ベース照明器具の光源３０１は所定の光源色を得るために、出射光の色が互いに異なる複数の半導体発光素子を用いて実現されてもよい。また、光源３０１の出力を変えて明るさを変えたり、出射光の色が異なる半導体発光素子の間の出力比を調整したりすることによって光源色が可変であってもよい。このような変化も制御部３１００の制御下で行われる。なお、上述のとおりベース照明器具の個数は９個に限られないが、図６Ｃでは図４及び図５に合わせてベース照明器具３１０〜３９０を示している。
【００８４】
制御部３１００はベース照明器具３１０の他の構成要素と通信可能に接続され、記憶部３２００から読み出したプログラムに従って動作する。この動作には、通信部３３００を介してゲートウェイ５００から受信した情報の処理、ベース照明装置３００内の他の構成要素の制御、又記憶部３２００へのデータの書き込みが含まれる。本実施の形態のこのような制御部３１００は、例えばマイクロプロセッサを用いて実現される。
【００８５】
記憶部３２００は上述のプログラムを記憶したり、制御部３１００によるデータの処理の過程で、また、当該処理の結果として生じたデータを記憶したりする記憶装置である。本実施の形態のこのような記憶部３２００は、例えばフラッシュメモリ等の不揮発性メモリ及びＲＡＭ等の揮発性メモリを用いて実現される。
【００８６】
通信部３３００は、本実施の形態における照明システム１００で採用される通信規格に応じた、ゲートウェイ５００との通信のための通信モジュールである。
【００８７】
また、ベース照明装置３００がさらに備えるカウンタ３９００については、図６Ａ、図６Ｂ、及び図６Ｄに記載のカウンタとあわせて後述する。
【００８８】
図６Ｄは、本実施の形態における演出照明装置４００が備える演出照明器具４１０の機能構成の例を示す図である。本実施の形態における演出照明装置４００は同等の機能を持つ複数の演出照明装置からなる。ここではこれらの複数の演出照明装置の代表として演出照明器具４１０について説明する。
【００８９】
演出照明器具４１０は光源４０１と点灯回路４０２とを備える。光源４０１は点灯回路４０２を介して電力の供給を受けて光を出射する。点灯回路４０２は後述の制御部４１００の制御下で光源４０１への電力の供給と遮断を切り替えることによって光源４０１の点灯と消灯とを切り替える。光源４０１は例えば発光ダイオードや有機ＥＬ等の半導体発光素子を用いて実現される。また、光源４０１には出射光の色が互いに異なる複数の半導体発光素子が含まれ、出射光の色が異なる半導体発光素子の間の出力比を調整することによって出射光の色（つまり色温度）が可変である。また、出力を変えて明るさを変えることもできる。このような出射光の変化も制御部４１００の制御下で行われる。
【００９０】
制御部４１００は演出照明器具４１０の他の構成要素と通信可能に接続され、通信部４３００を介してゲートウェイ５００から受信した情報、又は記憶部４２００に記憶されているプログラムに従ってデータを処理したり、演出照明器具４１０内の他の構成要素を制御したり、また、記憶部４２００にデータを書き込んで記憶させたりする。本実施の形態のこのような制御部４１００は、例えばマイクロプロセッサを用いて実現される。
【００９１】
記憶部４２００は上述のプログラムを記憶したり、制御部４１００によるデータの処理の過程で、また、当該処理の結果として生じたデータを記憶したりする。本実施の形態のこのような記憶部４２００は、例えばフラッシュメモリ等の不揮発性メモリ及びＲＡＭ等の揮発性メモリを用いて実現される。
【００９２】
通信部４３００は、本実施の形態における照明システム１００で採用される通信規格に応じた、ゲートウェイ５００との通信のための通信モジュールである。
【００９３】
照明システム１００には、制御装置２００、ゲートウェイ５００、ベース照明装置３００、及び各演出照明器具（演出照明器具４１０〜４９０）のいずれかにカウンタを備える。つまり照明システム１００には、カウンタ２９０、５９０、３９００、又は４９００のいずれかが備えられればよい。このカウンタは計時カウンタであり、時間長を計測する。照明システム１００では、カウンタが計測する時間に基づいて、ユーザによって設定された持続時間に従って各演出照明器具の明るさや色を変更する。例えば制御装置２００がカウンタ２９０を備える場合は、制御装置２００が適時にゲートウェイ５００を介して各演出照明器具に照明態様の変更を指示する信号を送信する。ゲートウェイ５００がカウンタ５９０を備える場合は、制御装置２００から受信した各演出照明器具への照明態様の変更を指示する信号を適時に演出照明器具に送信する。各演出照明器具がカウンタ４９００を備える場合は、ゲートウェイ５００を介して制御装置２００から受信した照明態様の変更を指示する信号に従って適時に照明態様を変更する。ベース照明装置３００が照明態様を変更する場合は、ゲートウェイ５００を介して制御装置２００から受信した照明態様の変更を指示する信号に従って照明態様を適時に変更してもよい。後述する照明システム１００の使用及び動作の例は、ゲートウェイ５００がカウンタ５９０を備える場合を想定して説明する。
【００９４】
なお、制御装置２００、ゲートウェイ５００、ベース照明装置３００、各演出照明器具（演出照明器具４１０〜４９０）はそれぞれにアドレスが割り当てられ、このアドレスによって少なくとも照明システム１００内で相互に識別が可能であり、相互に通信することができる。また、後述する照明態様に関する設定において、設定の対象の機器を示すのにも用いることができる。このアドレスは例えばＩＰアドレス又はＭＡＣアドレスでもよいし、工場出荷時までに製造業者によって、又は照明システム１００の設置以降に施工業者もしくはユーザによって付与される文字列であってもよい。
【００９５】
また、ここまでの説明及びここまでに参照した図面には含まれていないが、制御装置２００、ゲートウェイ５００、ベース照明装置３００、及び演出照明装置４００のいずれも電源回路を通じて電力の供給を受けている。この電力の供給源は例えば商用電源、又は店舗若しくは店舗を含む施設が備える発電設備や蓄電設備から電力である。また、これらの供給源の一部または全部から電力の供給が可能であってもよい。
【００９６】
以上、照明システム１００の構成について説明したが、本実施の形態に係る照明システムの構成は上述の例に限定されない。例えば、上記の説明ではゲートウェイ５００は制御装置２００、ベース照明装置３００、及び演出照明装置４００とは別の機器であり、制御装置２００とベース照明装置３００の間及び制御装置２００と演出照明装置４００との間の通信を中継している。この構成に代えて、ゲートウェイ５００の機能を制御装置２００、ベース照明装置３００、又は演出照明装置４００のいずれかが備えてもよい。例えば制御装置２００はカウンタ２９０を備えて、適時にベース照明装置３００及び演出照明器具４１０〜４９０のそれぞれと通信をしてもよい。別の例としては、ベース照明装置３００がカウンタ３９００を備えて、制御装置２００から受信した信号に基づいて、適時に演出照明器具４１０〜４９０に信号を送信してもよい。さらに別の例として、制御装置２００はベース照明装置３００と、演出照明器具４１０〜４９０のうちいずれかとのみ直接通信をしてもよい。この場合、演出照明器具４１０〜４９０のうち制御装置２００と通信をするものは、言わば演出照明器具の親機の役割を果たし、制御装置２００から受信した信号に基づいて、他の演出照明器具に適時に信号を送信する。また、ベース照明装置３００はカウンタ３９００を備え、演出照明器具では親機の役割をするものがカウンタ４９００を備えればよい。
【００９７】
また、例えばベース光の明るさ又は色温度は可変でなくてもよい。出射光の明るさ及び色温度のいずれも可変でない場合は、ベース照明装置３００は制御部３１００、記憶部３２００、通信部３３００、及びカウンタ３９００を備えなくてもよい。
【００９８】
（２．使用方法及び動作の概要）
次に、上記の構成を有する照明システム１００のユーザによる使用方法及び動作の概要を説明する。
【００９９】
ユーザＳＴは制御装置２００を用いて、照明システム１００の照明態様に関する設定を行う。ここでの設定とは、具体的にはベース照明装置３００及び演出照明装置４００の明るさ、色温度、及びその持続時間に関する設定である。必要に応じてベース照明器具３１０〜３９０のそれぞれ、及び演出照明器具４１０〜４６０のそれぞれに対してこれらに関する設定をする。以下ではベース照明装置３００及び演出照明装置４００を区別せず、またはこれらを集合的に指して照明装置ともいう。また、ベース照明器具３１０〜３９０及び演出照明器具４１０〜４６０を区別せず、またはこれらを集合的に指して照明器具ともいう。
【０１００】
ユーザＳＴが制御装置２００で上記の設定を行う方法の具体的な例としては、制御装置２００が備える画面に表示される各照明装置及び各照明器具の一覧からいずれかを選択し、選択した照明装置又は照明器具の明るさ又は色温度を入力又は選択して指定する。例えば明るさ又は色温度を示す数値を制御装置２００に入力してもよいし、又は、制御装置２００の画面に表示されるカラースケールから所望の色を選択してもよい。明るさ又は色温度を変化させる場合は、さらに所定の明るさ若しくは色温度の持続時間としての所定時間、変化の周期、又は変化の繰り返しの回数等の時間的な変数を入力又は選択して指定する。つまり、各照明装置又は各照明器具に対して時系列に沿ったスケジュールを組む方法である。また別の例としては、ユーザＳＴが上記の一覧から照明装置又は照明器具を選択し、各照明装置又は各照明器具の明るさ又は色温度の設定は上記と同じであるが、前述の時間的な変数を一覧全体に対して設定する。つまり、一覧を用いて、１つの空間にある各照明装置又は各照明器具の同一時間における照明態様が指定される。この１つの空間での同一時間における照明態様とは、上記の実験におけるシーンに相当するとも言えるため、以下シーンとも言う。ユーザＳＴはこのようにシーンを指定する一覧を複数用意し、これらの一覧を所定の順序、所定時間の経過後に差し替えるように設定することで、照明システム１００の照明態様を経時的に変化させてもよい。
【０１０１】
なお、ユーザＳＴに提示される上記の各照明装置及び各照明器具の一覧は、表形式であって、語句や記号で各照明装置又は各照明器具の位置を示すものであってもよいし、マップ形式で照明装置又は照明器具の配置を図示するものであってもよい。又は、表形式とマップ形式との組み合わせであってもよい。このようにマップ形式を用いた一覧は、本実施の形態における出射光マップの例である。
【０１０２】
上記の方法でユーザが入力した照明態様の設定を示す情報（以下、設定情報という）は、制御装置２００からゲートウェイ５００に送信される。
【０１０３】
ゲートウェイ５００は、この受信した設定情報を記憶部５２０に保存して記憶する。また、ゲートウェイ５００はさらに、この設定情報に示された照明態様での動作を指示する信号を各照明装置又は各照明器具に送信する。また、設定情報に所定時間経過後の各照明装置又は各照明器具の照明態様の変更についての指定がある場合は、カウンタ５９０で当該所定時間を指定の時間を計時して次の照明態様での動作を指示する信号を各照明装置又は各照明器具に送信する。なお、照明態様には、光を発しない消灯状態も含まれる。
【０１０４】
これらの信号を受信した各照明装置又は各照明器具は、現在の照明態様から信号が示す照明態様へと遷移する。なお、この遷移は瞬間的に行われなくてもよい。例えば現在の照明態様の明るさや色温度から、次に受信した信号に示される照明態様の明るさや色温度に徐々に変化してもよい。このような変化は、各照明装置又は各照明器具が自律的な制御で行ってもよいし、照明態様と同様に、各照明装置又は各照明器具がその変化にかける時間（以下、フェード時間ともいう）をユーザが制御装置２００上で指定してもよい。
【０１０５】
ここで、上記の設定情報のデータ構造を説明する。
【０１０６】
図７Ａは、本実施の形態において制御装置２００からゲートウェイ５００に送信される設定情報のデータ構造の例を示す図である。この説明では、ユーザＳＴが各照明装置及び各照明器具の同一時間における照明態様を指定する場合を例に用いる。
【０１０７】
図７Ａが示すように、設定情報には設定情報ＩＤ、機器ＩＤ、明るさ、色温度、持続時間、及び次の設定情報の項目がある。
【０１０８】
設定情報ＩＤは、この設定情報を示す情報である。
【０１０９】
機器ＩＤの欄にある文字列は、照明装置及び照明器具を個別に示す情報である。ゲートウェイ５００はこの情報を参照して、照明装置又は各照明器具に照明態様を示す信号を送信する。
【０１１０】
「明るさ」の欄にある数字は、照明装置又は各照明器具が出射する光の明るさを示す情報である。この例では照明装置又は各照明器具の最高出力を１００としてこれに対する割合で指定されている。この割合が低くなるほど、照明装置又は各照明器具が出射する光は暗くなる。ゼロの場合は光を出射しない。
【０１１１】
「色温度」の欄にある数字は、照明装置又は各照明器具が出射する光の色温度を示す情報である。
【０１１２】
なお、この例では色温度そのものが示されているが、出射光の色が異なる発光素子それぞれの最大出力に対する割合で明るさと合わせて指定されてもよい。例えば、演出照明器具４１０が色温度２７００Ｋの発光素子と６５００Ｋの発光素子とを備えると想定する。この場合に、演出照明器具４１０に色温度が２７００Ｋの光を最大の明るさで発光させる設定をユーザＳＴが制御装置２００で入力すると、制御装置２００から（色温度２７００Ｋの発光素子の対最大出力比，色温度６５００Ｋの発光素子の対最大出力比）を示す情報として（１００，０）を示す信号が演出照明器具４１０に送信される。この信号をゲートウェイ５００経由で受信した演出照明器具４１０は、色温度２７００Ｋの発光素子を１００％の出力で発光させ、色温度６５００Ｋの発光素子をオフにする。別の色温度及び明るさでの例を挙げると、演出照明器具４１０に色温度が４５００Ｋの光を最大出力の５０％の出力で発光させる設定が入力された場合には、制御装置２００から（２５，２５）を示す信号がゲートウェイ５００経由で演出照明器具４１０に送信される。この信号を受信した演出照明器具４１０は色温度２７００Ｋの発光素子及び色温度６５００Ｋの発光素子をそれぞれ２５％の出力で発光させる。
【０１１３】
「持続時間」の数字は、この設定情報に基づく動作の持続時間を示す。この例では持続時間として１０秒間が指定されている。
【０１１４】
次の設定情報の項目下にある文字列は、上記の持続時間の経過後に適用される設定情報の設定情報ＩＤである。
【０１１５】
なお、持続時間及び次の設定情報は、この例のように各設定情報に含まれるのではなく、図７Ｂに示されるような別の情報として制御装置２００からゲートウェイ５００に提供されてもよい。図７Ｂは、本実施の形態において制御装置２００からゲートウェイ５００に送信される、設定情報の補助データのデータ構造の例を示す。この例では、図７Ａの「次の設定情報」に代えて設定情報の適用順序が「順」の欄に示されている。このように、複数の設定情報がある場合に、他の設定情報との関係で相対的に示されてもよいし、図７Ｂの例のように各設定情報の絶対的な順序で示されてもよい。また、各設定情報に基づいて各照明装置又は各照明器具が動作を持続させる時間は持続時間の欄に示されている。
【０１１６】
図７Ａ及び図７Ｂに示されるようなデータは、ユーザが制御装置２００にした入力に基づいて制御装置２００が生成してゲートウェイ５００に送信される。
【０１１７】
ゲートウェイ５００は、この設定情報を受信すると、この表の各データ行を参照して明るさ及び色温度を指示する信号を生成し、生成した信号をその行にある機器ＩＤが示す照明装置又は照明器具宛に送信する。そしてその送信から持続時間が経過するまでに、次の設定情報に基づいて明るさ及び色温度を指示する信号を生成し、持続時間に達した時点でこれらの信号を機器ＩＤが示す機器ＩＤが示す照明装置又は照明器具宛に送信する。
【０１１８】
各照明装置及び各照明器具は、ゲートウェイ５００から受信した信号に従って出力を変更又は維持する。
【０１１９】
以上、照明システム１００のユーザによる使用及び動作の例を説明したが、本実施の形態に係る照明システムの使用及び動作はこの例に限定されない。例えば「１．照明システムの構成」の項の末尾で例示したように、制御装置２００、照明装置、又は照明器具のいずれかがゲートウェイ５００の機能を果たす場合には、本項で記載したゲートウェイ５００の動作を制御装置２００、照明装置、又は照明器具のいずれかが実行する。
【０１２０】
また、制御装置２００から送信される情報は図７Ａ又は図７Ｂで例示されるものに限定されない。例えば上述したような、次の設定情報に示される照射態様への遷移にかける時間であるフェード時間が送信されてもよい。
【０１２１】
（３．設定例）
次に、本実施の形態に係る照明システム１００の、［本発明の一態様を得るに至った経緯］の節で説明した実験を通して把握された、特定の雰囲気の演出を目的とする照明として適切な変化を実現する設定の例を説明する。ここでの特定の雰囲気とは、落ち着き、洗練、高級感とする。これらの言葉で形容される雰囲気は、従来あった、出射光を経時的に変化させてアイキャッチ効果を生じさせる照明装置では出すことができなかった。しかし本発明に係る照明システムでは、このような雰囲気とアイキャッチ効果を両立させることができるため、これを実現する設定を例として選択して説明する。
【０１２２】
（３−１．変化の頻度）
上述の実験結果は、視野角内に店舗の空間がある通行者に認識される演出照明の変化が当該通行者に対するアイキャッチ効果を生み、同空間内への誘引へと繋がることを示している。
【０１２３】
店舗内の空間の雰囲気で誘引する対象の通行者としては、例えば店舗の間口側の通行路（例：歩道、集合店舗施設の通路）を、当該間口を横切る方向に移動する歩行者を想定することができる。このような通行者の場合、その移動の速さは毎秒１ｍ〜１．３ｍである。また、当該通行者は店舗の前を歩いている時のみならず、店舗の間口の手前、例えば２〜３ｍ手前から店舗の空間が視野角内に入る場合が考えられる。このような場合は、店舗の空間が視野角に入ってから店舗の間口に達するまでの距離を移動の速さで除して得られる１．５秒から３秒の間に１回は変化を生じさせると、上記のアイキャッチ効果が得られる。
【０１２４】
なお、上記の数値は一例であり、実際には店舗の空間の外にある通行路を通る通行者の典型的な動線を想定し、この動線に応じて、当該通行者の視野角内に演出照明器具の出射光で照射される店舗の空間内の領域（以下、照射領域ともいう）の少なくとも一部がある時間の長さに基づいて具体的に決定すればよい。店舗の空間、間口及び通行路の大きさ及び形状のバリエーションも考慮すると、歩行者の場合は最大で店舗間口の１０ｍ程度手前から店舗内の空間が視野角内に入る場合まで想定される。つまり最長で１０秒程度に１回の頻度で変化を生じさせるとよい。なお、平均的な人の視野角としては、両眼で同時に見える水平方向の角度が約１２０度、上下方向では上に約６０度、下に約７０度である。
【０１２５】
他に変化の頻度（あるいは１つの照明態様の持続時間）の決定に考慮されるべき要因としては、通行者の移動手段や演出照明装置の設置場所が含まれる。この設置場所について言えば、演出照明装置は前述の照射領域の少なくとも一部ができるだけ長い時間、通行者の視野角内にあるように配置されるのが望ましい。例えば、店舗の間口、つまり通行路側の端部沿い（例えば店頭ディスプレイの中）、又は店舗の間口手前から見える壁面は、当該通行路に沿って移動する通行者の視野角内にある時間が比較的長い。したがってこれらの場所に照射領域が位置するよう演出照明装置を配置すると、演出照明の変化が当該通行者によって認識される可能性がより高い。
【０１２６】
また、照明態様の変更の頻度は一定でなくてもよい。上記の１秒から１０秒の範囲内で変更したり、１秒から１０秒の範囲内での一定長の間隔に１／ｆの揺らぎなどの変化を加えたりしてもよい。
【０１２７】
（３−２．色温度）
上述の実験結果は、１の空間内で照明の色差が大きいと観者に違和感を与えやすい傾向があることを示している。この実験結果の示唆にしたがって、次に示す（一）の条件を満たす設定、又は（一）及び（二）の条件を満たす設定を上記の雰囲気とアイキャッチ効果との両立が可能な設定として用いてもよい。
【０１２８】
（一）演出照明装置の出射光の色温度範囲が、米国規格協会（以下、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）という）が定める規格のｃ７８．３７７における黒体軌跡に沿う８個の色度領域のうち、ベース光の色温度と同一又は隣接する色度領域の範囲内にある。
【０１２９】
（二）演出照明装置が備える複数の演出照明器具の色温度が、ベース光の色温度を中心とする１０００Ｋの範囲である。
【０１３０】
これらの条件のうち（一）にある８個の色度領域について図８を参照して説明する。同図のグラフエリアは、国際照明委員会で規定された色度図の一部であり、横軸Ｃｘ及び縦軸Ｃｙはそれぞれ色度を示す。同図のグラフエリア内にある（１）〜（８）の四角い領域は、上記のＡＮＳＩの規格で定められている、光の８種類の白色に相当する。８種類の白色とは、赤みを帯びた色温度が低い白色から青みを帯びた色温度の高い白色にかけての色を便宜的に８つに分割したことを意味する。なお、各領域内でグラフエリアの上端に近い点が示す光色はさらに緑色を帯び、下端に近い点が示す光色は紫色を帯びる。同図の右側に示されるのは、各領域を指す名目上の相関色温度である。これらの相関色温度を同グラフエリア上でプロットすると領域（１）〜（８）それぞれの中央に位置する。領域（１）〜（８）内の色の光は、各領域の名目上の相関色温度の光と人の目には通常区別がつかない。別の言い方をすると、各領域内の色は、人の目には領域の中心の色と同じ色と認識される。たとえば領域（１）内の色の光は、２７００Ｋの色温度の光と人の目に同じ色に見える。
【０１３１】
この規格を用いて上記の条件（一）を定めたのは次の理由による。
【０１３２】
まず、上記のとおり１の空間内での照明の色差が大きいとこれを観る者に違和感を与えやすい。その一方で、アイキャッチ効果を得るためには、人の目に変化として認識される必要がある。この２点を考慮して、ベース照明と演出照明との間、及び演出照明内で色差を設けながら、当該色差を上記のとおり限定した。例えばベース光が図８の領域（４）内にある場合、各演出照明器具が出射する光の色温度範囲は領域（３）から（５）にかけての範囲（同図中両矢印の幅）の内とする。なお、同一領域内でも対辺又は対角に近い位置にプロットされる色の光は人の目に異なる色の光として認識されうるため、同一の領域内でもよい。
【０１３３】
また、上記の条件（二）は、上述の実験結果に基づいて、さらに演出照明の色温度範囲を限定したものである。
【０１３４】
なお、ベース光としては、例えば日本工業規格で定められる規格（規格番号：ＪＩＳ  Ｚ  ９１１２：２０１２）における一般照明用の各種照明器具の光源色である昼光色、昼白色、白色、温白色、又は電球色に相当するもの色の光が用いられる。これらのうち、白色の光で照明された空間内では物の色が人の目に比較的自然に映る。したがって、装飾雑貨や服など、購入の決め手に色が大事な要素である商品を扱う店舗の空間でこの光源色のベース照明を使うと、店員も顧客も店頭の商品、又は顧客の持ち物、髪、及び肌等の色の自然な色合いを確認することができる。この点を踏まえた空間全体の照明態様の例としては、上記の条件を満たす演出照明をすることで通行者の特定の雰囲気の演出や通行者に対するアイキャッチ効果を得て、陳列された商品はこの白色の光のベース照明下で見せるというケースが挙げられる。この白色は相関色温度で３８００Ｋから４５００Ｋの範囲に相当し、図８の色度図が示す色空間で言えばおもに領域（４）及び（５）と重なる領域に当たる。
【０１３５】
なお、本実施の形態を店舗の空間に適用する場合は、店舗がターゲットとする客層によって上記の変更の頻度からさらに調整を加えてもよい。例えば上記の実験において、色温度の変化幅がベース照明の色温度から５００Ｋを超える場合に違和感があると受け止めた人は男性よりも女性に多かった。この結果を踏まえると、例えば女性を主力ターゲットとする店舗では、演出照明装置の色温度範囲の大きさを控えめにしてもよい。
【０１３６】
（３−３．演出照明の照明態様の変化パターン）
上記３−１で説明した変化の頻度、及び３−２で説明した色温度の条件を用いた演出照明の照明態様の変化パターンの設定例を説明する。
【０１３７】
（３−３−１．方向性を伴う変化パターン）
この変化パターンは上述の実験での照明態様と類似する。この変化パターンの例について図４を参照して説明する。
【０１３８】
図４では、複数の演出照明器具４１０〜４６０（以下、説明の便宜上、図面で最左の演出照明器具から右へ順に演出照明器具４１０、４２０・・・４６０とする）は、それぞれの照射領域が図面上で左右に並ぶように配置されている。以下、このような複数の照射領域が並んでなす列を照射領域列という。なお、照射領域列は、隣り合う照射領域同士が一部重なりあって連続するものであってもよいし、不連続であってもよい。
【０１３９】
この照射領域列には、一部分が他の部分よりも高い又は低い色温度の光で照射される照射パターンが適用される。図４ではこのような照射パターンの適用例として、演出照明器具４２０の照射領域のみが他の演出照明器具と異なる色温度の光で照射されている様子が示されている。なお、照射領域列における照射パターンの適用範囲は１個の演出照明器具に対応する照射領域には限られない。連続する複数個の照射領域が他の部分よりも高い又は低い色温度の光で照射されてもよい。
【０１４０】
以降、この照射パターンが適用される照射領域は、所定時間が経過する度に１つずつ右へ移動する。ここでの所定時間とは、ユーザＳＴが制御装置２００で設定した、各演出照明器具の所定の明るさ若しくは色温度の持続時間、又は各シーンの持続時間である。照射パターンが適用される照射領域が図面で最右の照明領域に達した後は、移動の方向が逆転してもよいし、再び最左の照射領域から右へ移動してもよい。なお、店舗の空間の外に居て照射領域列の少なくとも一部が視認可能な通行者から遠ざかって店舗の奥へ向かう方向、本図に示される例で言えば、通行者ＰＡに最も近い演出照明器具４１０の照射領域から、演出照明器具４６０の照射領域に向かう右方向へ照射パターンを移動させると、当該通行者の注意を店舗の奥に向けることができ、店舗への誘導効果を高めることができる。
【０１４１】
このように、ある方向に沿って並ぶ複数個の照射領域が並ぶ照射領域列内で、所定の照射パターンが当該方向の一方から他方へ向かって順次移動する変化態様を、本実施の形態では方向性を伴う変化パターンと呼ぶ。
【０１４２】
なお、この方向性を伴う変化パターンでも、上記３−１で説明した変化の頻度、及び３−２で説明した色温度の条件が適用されている。これにより、特定の雰囲気の演出とアイキャッチ効果を得ている。
【０１４３】
また、これらの条件に加えて、当該照射領域列において隣り合う照射領域を照射する演出照明器具の出射光の色温度差は５００Ｋ以内という条件を加えてもよい。この条件が適用される場合は、照射パターンが適用されている照射領域と適用されていない照射領域との色温度差のみではなく、照射パターンが適用されている照射領域内の色温度差にも適用される。これにより、照射領域列内で一部の照射領域が周囲より目立ち過ぎることによる違和感を、この照射領域列が視認可能な者に与えない。
【０１４４】
なお、上記の説明では演出照明器具４１０〜４６０の６個に対応する６個の照射領域がなす列を照射領域列としていたが、演出照明器具又は照射領域の個数はこれに限定されない。上述のような方向性を伴う変化パターンを実現するには、照射領域列に照射領域が３個以上あり、これらに所定の照射パターンが順次適用されればよい。つまり、照射の制御の単位である演出照明器具も３個以上あればよい。
【０１４５】
また、上述のような照射パターンが照射領域列の１箇所のみではなく、複数箇所に適用されてもよい。ただし、この場合は、当該照射領域列に含まれる照射領域の個数と照射パターンの適用箇所の個数によっては、照射領域列を視認する通行者には照射パターンが移動しているようには見えないこともある。
【０１４６】
（３−３−２．方向性を伴わない変化パターン）
演出照明装置４００による変化パターンには、３−３−１で説明したような一定方向へ順次移動するような方向性がなくてもよい。例えば図４で言えば、図示の演出照明器具４２０の照射領域の次には演出照明器具４５０の照射領域に所定の照射パターンが適用され、以降、所定時間が経過する度に、演出照明器具４１０の照射領域、演出照明器具４２０の照射領域、演出照明器具４４０の照射領域、演出照明器具４３０の照射領域、演出照明器具４６０の照射領域という順に当該照射パターンが適用されるような、移動方向および各移動の移動量が一定でない変化パターンであってもよい。
【０１４７】
（４．変形例）
以上、具体的な照明態様の変化の例を挙げて本実施の形態の説明をしたが、次に挙げる変形もまた本実施の形態に適用することができる。
【０１４８】
しかしながら、ベース照明装置３００の照明態様も変化させてもよい。なお、ベース照明装置３００も演出照明装置４００のように秒単位でシーンを変えるような変化は可能だが、空間全体の照明態様として変化が複雑であると、上記のような雰囲気の創出の効果を得るのはかえって困難である。したがって、ベース照明装置３００の場合は、演出照明装置４００に比べて持続時間の長いシーンを用いて変化させてもよい。例えばエコサーカディアン制御のような時間単位のシーンをつないだ２４時間周期の変化や、季節単位での変化などである。
【０１４９】
また、ベース照明装置３００の照明態様をユーザが意図的には変化させないとしても、光源の経時劣化を補償するよう色温度の異なる各発光素子の出力を調整（較正）して出射光の明るさや色温度を安定させてもよい。この調整はユーザによって手動で実行されてもよいし、ベース照明装置３００において、カウンタ３９００を用いて光源の累積点灯時間が計測され、記憶部３２００に保持される累積点灯時間に応じた駆動電流の変化量を参照して自動で実行されてもよい。なお、このような調整（較正）は各演出照明器具でも行われてもよい。これにより、照明システムによる照明態様を常に適切にすることができる。
【０１５０】
［実施の形態２］
本実施の形態における照明システムは、構成、使用方法、動作の原理については基本的に実施の形態１と共通である。以下、実施の形態１との相違点を中心に本実施の形態における照明システムを説明する。
【０１５１】
実施の形態１では、集合店舗施設の通路や道路等に面した店舗のような空間に特定の雰囲気の演出や通行者に対するアイキャッチ効果を高める照明システムを用いた。本実施の形態における照明システムは、例えば集合店舗施設等の建物の通路に用いられ、当該建物の外から中へ、また、入口から奥へと向かう方向へ人を誘導する効果をもたらす。
【０１５２】
図９は、本実施の形態における照明システムの適用例を示す図である。
【０１５３】
図９では、建物の入口付近に居る通行者ＰＡが、同建物の通路が導く奥の方向を向いている。通路の両側には店舗等が並ぶ。この通路の天井には、図示しないベース照明装置と、演出照明装置４００ａとが備えられている。つまり、実施の形態１においては、照明システムは人が通行路から入る店舗などの空間に備えられていたのに対し、本実施の形態では、照明システムが備えられる空間は人が通行するための通行路である。
【０１５４】
より具体的には、演出照明装置４００ａは複数個の演出照明器具を備え、当該複数個の演出照明器具は通行路沿いに上記の建物の入口と奥とを繋ぐように配置されている。なお、同図の例では複数個の演出照明器具は天井に連続的に配置されているが、本実施の形態の照明システムはこれに限定されない。例えばこれらの演出照明器具は壁又は床に配置されてもよい。また、完全に連続していなくても、通路に沿って配置され、当該建物の入口の外から中を見る人、又は当該通路に立つ人の視界内に、通路の延伸方向に沿って複数個の演出照明器具が入る程度の間隔で配置されてもよい。
【０１５５】
また、実施の形態１の照明システム１００と同様に、本実施の形態の照明システムも制御装置（図示なし）及びゲートウェイ（図示なし）を備える。演出照明装置４００ａが備える各演出照明器具は、ユーザが制御装置に入力した照明態様に関する設定を示す信号をゲートウェイを介して受信し、この設定どおりに動作する。
【０１５６】
本実施の形態においても、演出照明装置４００ａの照明態様の変化パターンには方向性がある。ただし、本実施の形態は、この方向性が上記の入口から建物の奥へ向かう方向に沿う点が実施の形態１と異なる。
【０１５７】
より具体的には、複数個の演出照明器具のそれぞれの照射領域からなる照射領域列（図９の、演出照明装置４００ａに沿う網かけ部分）の一部分には、実施の形態１と同様に他の部分よりも高い又は低い色温度の光で照射される照射パターンが適用される。この照射パターンが適用される部分が建物の入口から奥へと向かう方向に順次移動する。同図中の矢印はこの方向を示す。これにより、例えばこの建物の入口の外から中を見る人に店舗の奥への興味を喚起したり、通路の入口付近の通行者を建物の奥へ誘導する心理的効果を生じさせたりすることができる。ひいては、この建物の利用者の増加及び建物内への滞留時間の長時間化につながる。また、通行路の形状によっては建物内での回遊性の向上につながる。
【０１５８】
なお、実施の形態１では、照射パターンが適用される範囲は演出照明器具単位で移動する態様を説明した。本実施の形態のような照明態様では、各演出照明器具は直管形状を有し、その長手方向に並ぶ複数の発光モジュールを備えることも想定される。このような場合、照射パターンが適用される範囲は演出照明器具単位ではなく、その中の発光モジュール単位で移動してもよい。この場合、当該照射パターンの移動は通行者の目により滑らかに見える。
【０１５９】
また、上記の説明では本実施の形態の演出照明装置４００ａは線形の通行路沿いに設置されているが、建物内のその他の共用部、例えばアトリウムなどの空間において入口から奥へと向かう方向に沿って配置されてもよい。
【０１６０】
また、上記では本実施の形態の説明に屋内での設置例を用いているが、ベース照明の機能を果たす照明装置と演出照明の機能を果たす照明装置とが備えられる場所であれば屋外でも適用できる。例えば道路や広場の一定区間を占める空間を催事の会場として用いる場合に、ベース照明の機能を果たす街灯及び演出照明の機能を果たす装飾用の照明装置に本実施の形態を適用してもよい。
【０１６１】
また、上記ではベース照明の色温度や明るさの変化について述べていないが、例えばエコサーカディアン制御を用いて２４時間周期で色温度や明るさを変えてもよい。この場合は、演出照明装置４００ａの色温度範囲もベース照明の色温度の変化に伴って変化させる。これにより、本実施の形態による利用者の増加、建物内への滞留時間の長時間化、回遊性の向上の効果は、エコサーカディアン制御による効果と相俟ってより高まる。
【０１６２】
［その他の実施形態］
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の照明システムなどを実現するソフトウェアは、例えば次のようなプログラムである。
【０１６３】
すなわち、このプログラムはコンピュータに、所定の色温度の出射光をベース光として出射する光源を用いて、当該ベース光で１の空間を照明し、出射光の色温度が可変である演出照明器具からの出射光で前記空間の一部分である照射領域を照射し、前記演出照明器具を、所定時間が経過する度に前記出射光の色温度が所定の色温度範囲内で変化させるよう制御させる方法を実行させるプログラムである。なお、前記所定時間は、前記空間の外を通行する人であって前記照射領域の少なくとも一部を視認可能な人の視野角内に前記照射領域の少なくとも一部がある時間の長さに基づいて定められる。また、前記所定の色温度範囲は、ＡＮＳＩ規格のｃ７８．３７７における黒体軌跡に沿う８個の色度領域のうち、前記ベース照明装置が備える光源の所定の光源色の色温度と同一又は隣接する色度領域の範囲内にある。
【０１６４】
以上、一つまたは複数の態様に係る照明システムについて、実施の形態に基づいて説明したが、本発明はこれらの実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１６５】
１００  照明システム
２００  制御装置
３００  ベース照明装置
３０１、４０１  光源
４００、４００ａ  演出照明装置
４１０、４２０、４３０、４４０、４５０、４６０  演出照明器具
【図１】
0006531988.tif 000002
【図２】
0006531988.tif 000003
【図３Ａ】
0006531988.tif 000004
【図３Ｂ】
0006531988.tif 000005
【図４】
0006531988.tif 000006
【図５】
0006531988.tif 000007
【図６Ａ】
0006531988.tif 000008
【図６Ｂ】
0006531988.tif 000009
【図６Ｃ】
0006531988.tif 000010
【図６Ｄ】
0006531988.tif 000011
【図７Ａ】
0006531988.tif 000012
【図７Ｂ】
0006531988.tif 000013
【図８】
0006531988.tif 000014
【図９】
0006531988.tif 000015